(57)【特許請求の範囲】
【請求項１】
制御装置に収容され、パイロット信号とデータ信号とが割り当てられた複数のサブキャリアを１つのチャンクとしたＯＦＤＭ信号を送信する複数の送信装置と、この送信装置から指定される周波数帯域を通じて前記ＯＦＤＭ信号を受信する複数の受信装置とを備えたＯＦＤＭ無線通信システムにおいて、
前記複数の受信装置はそれぞれ、
前記送信装置から受信したＯＦＤＭ信号の受信品質を検出する品質検出手段と、
この品質検出手段が検出した受信品質を示す受信品質情報を送信する送信手段と
を備え、
前記複数の送信装置はそれぞれ、
前記複数の受信装置からそれぞれ受信品質情報を受信する第１受信手段と、
この第１受信手段が受信した受信品質情報に基づいて、１つのチャンクに通常の割合でパイロット信号が割り当てられた通常チャンクと、この通常チャンクよりも高い割合でパイロット信号が割り当てられた高密度チャンクとのうち、いずれのチャンクを前記複数の受信装置にそれぞれ割り当てるかを決定する決定手段と、
この決定手段が決定したチャンク割り当てに基づいて、通常チャンクと高密度チャンクの割り当てた割合を求める割合検出手段と、
この割合検出手段が求めた割合を割合情報として前記制御装置に送信する割合情報送信手段と
を備え、
前記制御装置は、
前記割合情報を受信する受信手段と、
この受信手段が受信した割合情報に基づいて、通常チャンクを割り当てる通常周波数帯域と、高密度チャンクを割り当てる高密度周波数帯域を決定する帯域決定手段と、
この帯域決定手段が決定した周波数帯域を示す帯域情報を、前記複数の送信装置に送信する送信手段と
を備え、
さらに、前記複数の送信装置はそれぞれ、
前記帯域情報を受信する第２受信手段と、
この第２受信手段が受信した帯域情報に基づいて、前記通常周波数帯域に通常チャンクを割り当てるとともに、前記高密度周波数帯域に高密度チャンクを割り当てる割当手段と、
この割当手段が割り当てた周波数帯域に基づいて、前記複数の受信装置に対して、各受信装置に宛てたＯＦＤＭ信号を送信する周波数帯域を示す制御情報を送信する第１送信手段と、
前記割当手段が割り当てた通常チャンクおよび高密度チャンクに、それぞれデータ信号およびパイロット信号を割り当てて受信装置に送信する第２送信手段と
を備え、
さらに、前記複数の受信装置はそれぞれ、
前記制御情報を受信する第１受信手段と、
この第１受信手段が受信した前記制御情報に基づく周波数帯域を通じて、当該受信装置宛てのチャンクを受信する第２受信手段と
を備える
ことを特徴とするＯＦＤＭ無線通信システム。
【請求項２】
パイロット信号とデータ信号とが割り当てられた複数のサブキャリアを１つのチャンクとしたＯＦＤＭ信号を、複数の受信装置にそれぞれ送信する送信装置において、
前記複数の受信装置からそれぞれ受信品質情報を受信する受信手段と、
この受信手段が受信した受信品質情報に基づいて、１つのチャンクに通常の割合でパイロット信号が割り当てられた通常チャンクと、この通常チャンクよりも高い割合でパイロット信号が割り当てられた高密度チャンクとのうち、いずれのチャンクを前記複数の受信装置にそれぞれ割り当てるかを決定する決定手段と、
この決定手段が決定したチャンク割り当てに基づいて、他の送信装置との間で共通する通常周波数帯域に通常チャンクを割り当てるとともに、前記他の送信装置との間で共通する高密度周波数帯域に高密度チャンクを割り当てる割当手段と、
この割当手段が割り当てた周波数帯域に基づいて、前記複数の受信装置に対して、各受信装置に宛てたＯＦＤＭ信号を送信する周波数帯域を示す制御情報を送信する第１送信手段と、
前記割当手段が割り当てた通常チャンクおよび高密度チャンクに、それぞれデータ信号およびパイロット信号を割り当てて受信装置に送信する第２送信手段と
を具備することを特徴とする送信装置。
【請求項３】
制御装置に収容され、パイロット信号とデータ信号とが割り当てられた複数のサブキャリアを１つのチャンクとしたＯＦＤＭ信号を、複数の受信装置にそれぞれ送信する送信装置において、
前記複数の受信装置からそれぞれ受信品質情報を受信する第１受信手段と、
この第１受信手段が受信した受信品質情報に基づいて、１つのチャンクに通常の割合でパイロット信号が割り当てられた通常チャンクと、この通常チャンクよりも高い割合でパイロット信号が割り当てられた高密度チャンクとのうち、いずれのチャンクを前記複数の受信装置にそれぞれ割り当てるかを決定する決定手段と、
この決定手段が決定したチャンク割り当てに基づいて、通常チャンクと高密度チャンクの割り当てた割合を求める割合検出手段と、
この割合検出手段が求めた割合を割合情報として前記制御装置に送信する割合情報送信手段と、
前記制御装置が前記割合情報に基づいて決定した、通常チャンクを割り当てる通常周波数帯域と、高密度チャンクを割り当てる高密度周波数帯域を示す帯域情報を受信する第２受信手段と、
この第２受信手段が受信した帯域情報に基づいて、前記通常周波数帯域に通常チャンクを割り当てるとともに、前記高密度周波数帯域に高密度チャンクを割り当てる割当手段と、
この割当手段が割り当てた周波数帯域に基づいて、前記複数の受信装置に対して、各受信装置に宛てたＯＦＤＭ信号を送信する周波数帯域およびチャンクの種別を示す制御情報を送信する第１送信手段と、
前記割当手段が割り当てた通常チャンクおよび高密度チャンクに、それぞれデータ信号およびパイロット信号を割り当てて受信装置に送信する第２送信手段と
を具備することを特徴とする送信装置。
【請求項４】
さらに、データ信号を当該送信装置に予め固有に割り当てられたスクランブリングコードで拡散する拡散手段
を備え、
前記第２送信手段は、前記割当手段が割り当てた通常チャンクおよび高密度チャンクに、それぞれ、前記拡散手段にて拡散されたデータ信号およびパイロット信号を割り当てて受信装置に送信することを特徴とする請求項２または請求項３に記載の送信装置。
【請求項５】
請求項２に記載の送信装置からのＯＦＤＭ信号を受信する受信装置であって、
パイロット信号とデータ信号とが割り当てられた複数のサブキャリアを１つのチャンクとしたＯＦＤＭ信号を、送信装置から指定される周波数帯域を通じて受信する受信装置において、
前記送信装置から受信したＯＦＤＭ信号の受信品質を検出する品質検出手段と、
この品質検出手段が検出した受信品質を示す受信品質情報を送信する送信手段と、
前記送信装置からＯＦＤＭ信号を送信する周波数帯域を示す制御情報を受信する第１受信手段と、
この第１受信手段が受信した前記制御情報に基づく周波数帯域を通じて、当該受信装置宛てのチャンクを受信する第２受信手段と
を備えることを特徴とする受信装置。
【請求項６】
請求項３に記載の送信装置からのＯＦＤＭ信号を受信する受信装置であって、
パイロット信号とデータ信号とが割り当てられた複数のサブキャリアを１つのチャンクとしたＯＦＤＭ信号を、送信装置から指定される周波数帯域を通じて受信する受信装置において、
前記送信装置から受信したＯＦＤＭ信号の受信品質を検出する品質検出手段と、
この品質検出手段が検出した受信品質を示す受信品質情報を送信する送信手段と、
前記送信装置からＯＦＤＭ信号を送信する周波数帯域およびチャンクの種別を示す制御情報を受信する第１受信手段と、
この第１受信手段が受信した前記制御情報に基づく周波数帯域を通じて、当該受信装置宛ての前記制御情報で示される種別のチャンクを受信する第２受信手段と
を備えることを特徴とする受信装置。
【発明の詳細な説明】
【技術分野】
【０００１】
この発明は、例えば携帯電話システムなどの移動通信システムに用いられるＯＦＤＭ無線通信システムに関する。
【背景技術】
【０００２】
周知のように、ＯＦＤＭ（Orthogonal Frequency Division Multiplexing）無線通信システムは、複数の送信機が同じキャリア周波数を通信に使用する。また、このシステムでは、送信機において、データシンボルを複数のサブキャリアにわたって繰り返すチャネルコーディング内リピティション処理や、拡散コードを使って複数のサブキャリアにわたって拡散する拡散コード乗算処理を行うことが考えられている（例えば、非特許文献１参照）。このような処理を送信機が行うことで、受信機は高い信号対雑音比（SNR）で受信することが可能となる。
【０００３】
一方、受信機では、安定した受信を行うために、所望送信機以外の送信機からの干渉信号成分を平均化して白色雑音化する処理を行うことも考えられている。これは、符号化が施されている場合には、誤りがランダム化されていた方が誤り訂正能力が上がり、受信性能が向上することに着目したものである。
【０００４】
また受信機がこのような受信処理を行う場合、送信機では、送信機固有のスクランブリングパターンをかけて、スクランブル処理を適用したり、送信機固有のパターンで、データ信号にインタリーブを施す等の処理を行うことが考えられている。このとき、スクランブリングパターンやインタリーブパターンは、送信機間で互いに完全直交もしくは擬似直交の関係になるように設定される。
【０００５】
干渉信号成分は、所望送信機から送信される信号と直交化または擬似直交化されていることで、受信機側においてキャンセル、または白色雑音化される。また、パイロット信号に関しては、周波数方向に分散配置されることがあるため、周波数位置を送信機毎に変える周波数ホッピングによって送信機間のパイロット直交を実現することもできる。
【０００６】
上述したようなシステムで用いられる受信機は、ＯＦＤＭ信号を受信するためには、２段階の処理が必要になる。すなわち、第１段階では、パイロット信号の拡散に用いられる拡散コードまたはスクランブリングパターンが各送信機間で直交もしくは擬似直交の関係にあることを利用して、チャネル応答値に相関のある周波数−時間シンボル内で平均化する。これによって、干渉信号成分を白色雑音化し、所望送信機から受信機までのチャネル応答を推定する。さらに、データ信号に対してもインタリーブパターンやスクランブリングパターンを用いて干渉信号成分を白色雑音化する。そして、第２段階では、第１段階で求めたチャネル応答を使ってデータ信号が受けているチャネル歪みを補償するための等化、すなわちチャネル等化を行う。
【０００７】
しかしながら、これまで考えられていたＯＦＤＭ無線通信システムで用いられていたフレーム構成のパイロット信号の配置では、受信機が十分なパイロット信号のＳＮゲインが得られないという問題があった。これは、パイロット信号の密度は、データ信号に対して低いため、パイロット信号の送信電力がデータ信号の送信電力と比較して相対的に大きく設定されていたとしても、セル境界においては、十分なパイロット信号エネルギーが得られないということと、パイロット信号が擬似直交であるために、完全に干渉成分をキャンセルすることができないことが原因である。
【０００８】
このため、従来のＯＦＤＭ無線通信システムは、拡散やスクランブリングによりデータ信号のゲインを十分に得たとしても、チャネル推定値の精度が十分ではないため、結果として、データの受信精度が劣化してしまうという問題があった。
【非特許文献１】R1-060140 Orthogonal Pilot Channel Structure for Sectored Beams in E-UTRA Downlink, NTT DoCoMo, Fujitsu, Mitsubishi Electric, NEC, Sharp，［平成18年2月20日検索］，インターネット＜URL: http://www.3gpp.org/ftp/tsg_ran/WG1_RL1/TSGR1_44/Docs/R1-060１４０.zip＞。
【発明の開示】
【発明が解決しようとする課題】
【０００９】
従来のＯＦＤＭ無線通信システムでは、拡散やスクランブリングによりデータ信号のゲインを十分に得たとしても、チャネル推定値の精度が十分ではないため、結果として、データの受信精度が劣化してしまうという問題があった。  
この発明は上記の問題を解決すべくなされたもので、チャネル推定値の精度を上げ、データの受信精度を向上させることが可能なＯＦＤＭ無線通信システムおよび送信装置、受信装置を提供することを目的とする。
【課題を解決するための手段】
【００１０】
上記の目的を達成するために、この発明は、制御装置に収容され、パイロット信号とデータ信号とが割り当てられた複数のサブキャリアを１つのチャンクとしたＯＦＤＭ信号を送信する複数の送信装置と、この送信装置から指定される周波数帯域を通じてＯＦＤＭ信号を受信する複数の受信装置とを備えたＯＦＤＭ無線通信システムにおいて、複数の受信装置はそれぞれ、送信装置から受信したＯＦＤＭ信号の受信品質を検出する品質検出手段と、この品質検出手段が検出した受信品質を示す受信品質情報を送信する送信手段とを備え、複数の送信装置はそれぞれ、複数の受信装置からそれぞれ受信品質情報を受信する第１受信手段と、この第１受信手段が受信した受信品質情報に基づいて、１つのチャンクに通常の割合でパイロット信号が割り当てられた通常チャンクと、この通常チャンクよりも高い割合でパイロット信号が割り当てられた高密度チャンクとのうち、いずれのチャンクを複数の受信装置にそれぞれ割り当てるかを決定する決定手段と、この決定手段が決定したチャンク割り当てに基づいて、通常チャンクと高密度チャンクの割り当てた割合を求める割合検出手段と、この割合検出手段が求めた割合を割合情報として制御装置に送信する割合情報送信手段とを備え、制御装置は、割合情報を受信する受信手段と、この受信手段が受信した割合情報に基づいて、通常チャンクを割り当てる通常周波数帯域と、高密度チャンクを割り当てる高密度周波数帯域を決定する帯域決定手段と、この帯域決定手段が決定した周波数帯域を示す帯域情報を、複数の送信装置に送信する送信手段とを備え、さらに、複数の送信装置はそれぞれ、帯域情報を受信する第２受信手段と、この第２受信手段が受信した帯域情報に基づいて、通常周波数帯域に通常チャンクを割り当てるとともに、高密度周波数帯域に高密度チャンクを割り当てる割当手段と、この割当手段が割り当てた周波数帯域に基づいて、複数の受信装置に対して、各受信装置に宛てたＯＦＤＭ信号を送信する周波数帯域を示す制御情報を送信する第１送信手段と、割当手段が割り当てた通常チャンクおよび高密度チャンクに、それぞれデータ信号およびパイロット信号を割り当てて受信装置に送信する第２送信手段とを備え、さらに、複数の受信装置はそれぞれ、制御情報を受信する第１受信手段と、この第１受信手段が受信した制御情報に基づく周波数帯域を通じて、当該受信装置宛てのチャンクを受信する第２受信手段とを具備して構成するようにした。
【発明の効果】
【００１１】
以上述べたように、この発明では、通常の割合でパイロット信号が割り当てられた通常チャンクと、この通常チャンクよりも高い割合でパイロット信号が割り当てられた高密度チャンクとを、それぞれ複数の送信機間で共通の周波数帯域で送信するようにし、そして各送信機は、受信品質が悪い旨の報告を行った受信機に対して、高密度チャンクを割り当てるようにしている。
【００１２】
したがって、この発明によれば、受信品質が悪い受信装置が、チャネル推定において多くのパイロット信号エネルギーが集められるため、伝送路推定値のＳＮゲインが向上し、これにより、チャネル推定値の精度を上げ、データの受信精度を向上させることが可能なＯＦＤＭ無線通信システムおよび送信装置、受信装置を提供できる。
【発明を実施するための最良の形態】
【００１３】
以下、図面を参照して、この発明の一実施形態について説明する。  
図１は、この発明の一実施形態に係わるＯＦＤＭ（Orthogonal Frequency Division Multiplexing）無線通信システムの概要の構成を示すものである。図１に示すように、この発明が対象とするＯＦＤＭ無線通信システムは、複数のＯＦＤＭ送信機Ｔ０，Ｔ１，Ｔ２と、複数のＯＦＤＭ受信機Ｒ０，Ｒ１，Ｒ２を備える。送信機制御装置Ｃは、ＯＦＤＭ送信機Ｔ０，Ｔ１，Ｔ２を統括して制御する。
【００１４】
１つのＯＦＤＭ送信機は、同じサブキャリア周波数、同じ時間において、１つ以上のＯＦＤＭ受信機に宛ててＯＦＤＭ信号を送信する。この図では、ＯＦＤＭ送信機Ｔ０が、ＯＦＤＭ受信機Ｒ０に送信し、ＯＦＤＭ送信機Ｔ１は、ＯＦＤＭ受信機Ｒ１に送信し、ＯＦＤＭ送信機Ｔ２が、ＯＦＤＭ受信機Ｒ２に送信している。この場合、ＯＦＤＭ受信機にとって、所望のＯＦＤＭ送信機以外から送信されるＯＦＤＭ信号は、干渉信号となり、所望信号の受信性能が劣化する虞がある。
【００１５】
このＯＦＤＭ無線通信システムを移動通信システムに適用する場合、基地局の送信系がＯＦＤＭ送信機Ｔ０，Ｔ１，Ｔ２に相当し、移動局の受信系がＯＦＤＭ受信機Ｒ０，Ｒ１，Ｒ２に相当する。またＯＦＤＭ送信機Ｔ０，Ｔ１，Ｔ２は、互いに隣接するセルを形成する。
【００１６】
次に図２を参照して、この発明の実施形態に係わるＯＦＤＭ送信機の構成について説明する。この図に示すＯＦＤＭ送信機は、図１に示したＯＦＤＭ送信機Ｔ０，Ｔ１，Ｔ２に相当するが、以下の説明では、ＯＦＤＭ受信機Ｒ０に宛てた送信を行うＯＦＤＭ送信機Ｔ０を例に挙げて説明する。
【００１７】
なお、図２には図示しないが、各ＯＦＤＭ送信機Ｔ０，Ｔ１，Ｔ２は、それぞれ後述するＯＦＤＭ受信機Ｒ０，Ｒ１，Ｒ２から、自機の送信信号に関する各周波数帯域の受信品質や干渉信号強度の情報（以下、受信品質情報と略称する）をそれぞれ受信する構成を備え、ＯＦＤＭ受信機Ｒ０，Ｒ１，Ｒ２に対して、システムスループットが最大となるようにリソースブロック割り当てスケジューリングを行う。
【００１８】
図２に示すように、ＯＦＤＭ送信機Ｔ０は、スケジューリング部１１０と、パイロット信号生成部１２０と、データ信号生成部１３０と、制御信号生成部１４０と、乗算器１５０ａ，１５０ｂ，１５０ｃと、サブキャリア割り当て部１６０と、ＩＦＦＴ部１７０と、ＧＩ付加部１８０と、無線送信部１９０と、アンテナ１９０ａとを備える。
【００１９】
スケジューリング部１１０は、ＯＦＤＭ受信機Ｒ０，Ｒ１，Ｒ２から定期的に通知される受信品質情報に基づいて、各受信機に対するリソースブロックの割り当てを行い、この割り当てに応じて、拡散部１２１、チャネル符号化部１３１、拡散部１３３、変調部１３４およびサブキャリア割り当て部１６０にそれぞれ、チャネル符号化や拡散、変調に関する制御情報、リソース割り当てに関する指示を与える。
【００２０】
サブキャリア割り当て部１６０に対するリソース割り当てについてスケジューリング部１１０は、上記受信品質情報に応じて、チャンク割り当てを行う。チャンクとは、例えば図３に示すような太線で囲まれたサブキャリアの固まりであって、１つのＯＦＤＭ受信機に割り当てられる最小のリソースブロックであり、１つのＯＦＤＭ受信機に対して１つ以上のチャンクが割り当てられる。
【００２１】
具体的には、スケジューリング部１１０は、上記受信品質情報に応じて、図３（ａ）に示すような、１つのチャンクに通常の割合でパイロット信号が割り当てられた通常チャンクＡ２と、この通常チャンクよりも高い割合でパイロット信号が割り当てられた高密度チャンクＡ１とのうち、いずれかのチャンクに対応するサブキャリアをＯＦＤＭ受信機Ｒ０に割り当てるように、サブキャリア割り当て部１６０に指示する。この指示は、制御信号生成部１４０にも通知される。
【００２２】
なお、他のＯＦＤＭ送信機においても同様にして、図３（ｂ）に示すように、各信号を、通常チャンクＡ２と同じ周波数帯域の通常チャンクＢ２、あるいは高密度チャンクＡ１と同じ周波数帯域の高密度チャンクＢ１のサブキャリアに割り当てる処理を実施する。このように、通常チャンクと高密度チャンクの各周波数帯は、各ＯＦＤＭ送信機のサブキャリア割り当て部１６０によるチャンク割り当てによって、ＯＦＤＭ送信機Ｔ０を含む複数のＯＦＤＭ送信機間で共通となっている。
【００２３】
パイロット信号生成部１２０は、拡散部１２１と変調部１２２とを備える。そして、パイロット信号生成部１２０では、パイロット信号の基となる、ＯＦＤＭ受信機Ｒ０と予め申し合わせた所定のビット列を、拡散部１２１が、スケジューリング部１１０から指示される拡散率１以上の拡散コードを用いて拡散し、この拡散結果を変調部１２２が変調して複素数値で表されるパイロット信号を生成する。
【００２４】
なお、拡散部１２１で用いられる拡散コードは、チャネル応答値に相関のある周波数間および時間シンボル内にわたる一つのコードであって、他のＯＦＤＭ送信機Ｔ１やＴ２との間で互いに直交の関係を保つものとし、
スケジューリング部１１０より指定されるものである。図３に示す例では、パイロット信号には、長さ１２の直交コードが適用されている場合を示している。また、ここで用いられる拡散コードは、擬似直交系列でもかまわないが、完全直交系列を用いることが望ましい。
【００２５】
ここで「完全直交」とは相関値が０になることをいい、「擬似直交」とは相関値の絶対値が自己相関値と比べて小さい値になることをいう。以下、「完全直交」と「擬似直交」について詳述する。  
ある系列ｘ［ｋ］（ｋ＝１，・・・，Ｋ）の自己相関値は下式（１）で表され、２つの系列ｘ［ｋ］，ｙ［ｋ］（ｋ＝１，・・・，Ｋ）の相関値は、下式（２）で表される。
【数１】
0004740778.tif 000002
【００２６】
例えば、系列長が４の場合、互いに直交の関係にある複素数値の系列の例として、以下の４つの系列Ｒ1，Ｒ2，Ｒ3およびＲ4が挙げられる。
【数２】
0004740778.tif 000003
【００２７】
これらの式の４つの複素数値の系列Ｒ1，Ｒ2，Ｒ3およびＲ4は、６個の相関値が全て０であり、互いに直交している。一般に系列長を２Kとすると、最大で２K個の互いに直交関係にある複素数値の系列を生成することができる。他の例として、例えば以下のような４つの複素数値の系列Ｒ1，Ｒ2，Ｒ3およびＲ4も、６個の相関値が全て０であり、互いに直交している。
【数３】
0004740778.tif 000004
【００２８】
一方、擬似直交関係にある複素数値の系列の例としては、以下の６つの系列Ｒ1，Ｒ2，Ｒ3，Ｒ4，Ｒ5およびＲ6が挙げられる。
【数４】
0004740778.tif 000005
【００２９】
上式の系列長が４である６つの複素数値の系列Ｒ1，Ｒ2，Ｒ3，Ｒ4，Ｒ5およびＲ6は、自己相関値はいずれも４であるのに対して、相関値は０または２のいずれかになる。例えば、Ｒ1，Ｒ2，Ｒ3およびＲ4の間の６個の相関値およびＲ5およびＲ6の間の相関値は、いずれも０であるが、Ｒ1，Ｒ2，Ｒ3およびＲ4と、Ｒ5およびＲ6との間の４個の相関値は、いずれも２である。このように複素数値の系列として互いに疑似直交の関係にある系列、すなわち相関値を０に限定しない系列を含ませることにより、互いに直交の関係にある系列、すなわち相関値を０に限定した系列よりも多くの系列を生成することができる。
【００３０】
データ信号生成部１３０は、チャネル符号化部１３１と、送信機共通インタリーバ１３２ａと、拡散部１３３と、変調部１３４とを備える。そして、データ信号生成部１３０では、チャネル符号化部１３１が、送信データのビット列に対して、スケジューリング部１１０から指定されるレートの例えばターボ符号などのチャネル符号化を行う。  
送信機共通インタリーバ１３２ａは、チャネル符号化部１３１の符号化結果に対して、ＯＦＤＭ送信機Ｔ０，Ｔ１，Ｔ２の間で共通のインタリーブを施す。
【００３１】
拡散部１３３は、上記インタリーブが施された信号を、拡散率１以上の拡散コードを用いて拡散する。ここで用いられる拡散コードの拡散率、および後段の変調部１３４で設定される変調方式は、ＯＦＤＭ受信機Ｒ０側における被拡散信号のＳＮゲインに影響する。このため、ここで用いられる拡散コードは、スケジューリング部１１０によって、ＯＦＤＭ受信機Ｒ０の受信品質情報、地理的位置や信号の重要度に応じて適切に決められる。  
変調部１３４は、拡散部１３３の拡散結果を、スケジューリング部１１０から指定される変調方式によって変調して、複素数値で表されるデータ信号を生成する。
【００３２】
制御信号生成部１４０は、当該ＯＦＤＭ送信機Ｔ０が送信する信号をＯＦＤＭ受信機Ｒ０が受信するために必要な物理層制御情報として、スケジューリング部１１０から通知される情報に基づき、スクランブリングコードの種類や、データ信号やパイロット信号を割り当てたサブキャリアの周波数位置など示す信号位置情報、拡散コード情報、インタリーブパターン情報やチャネル符号化情報などを生成する。
【００３３】
そして、制御信号生成部１４０は、この物理層制御情報を、直接、送信信号として変調し、その変調結果を乗算器１５０ａに出力し、サブキャリア割り当て部１６０において、チャネル割り当てがなされる。なお、上記生成した物理層制御情報は、上位レイヤ信号として送信データに載せるために、データ信号生成部１３０に出力するようにしてもよい。
【００３４】
乗算器１５０ａは、制御信号生成部１４０により生成された制御信号に、スクランブリングコードを乗算して拡散する。ここで用いられるスクランブリングコードは、他のＯＦＤＭ送信機Ｔ１，Ｔ２で用いられるスクランブリングコードと擬似直交するものである。
【００３５】
乗算器１５０ｂは、パイロット信号生成部１２０により生成されたパイロット信号に、スクランブリングコードを乗算して拡散する。ここで用いられるスクランブリングコードは、他のＯＦＤＭ送信機Ｔ１，Ｔ２で用いられるスクランブリングコードと擬似直交するものである。
【００３６】
乗算器１５０ｃは、データ信号生成部１３０により生成されたデータ信号に、スクランブリングコードを乗算して拡散する。ここで用いられるスクランブリングコードは、他のＯＦＤＭ送信機Ｔ１，Ｔ２で用いられるスクランブリングコードと擬似直交するものである。
【００３７】
なお、乗算器１５０ａ，１５０ｂ，１５０ｃで用いられるスクランブリングコードは共通のものであってもよい。また、拡散部１２１，１３３で用いられる拡散コードは共通であってもよい。
【００３８】
サブキャリア割り当て部１６０は、乗算器１５０ｂにて拡散されたパイロット信号、および乗算器１５０ｃにて拡散されたデータ信号を、スケジューリング部１１０からの指示にしたがって、通常チャンクＡ２あるいは高密度チャンクＡ１のサブキャリアに割り当てる処理を行う。この処理による割り当てを示すインデックス情報と、上記データ信号およびパイロット信号がＩＦＦＴ部１４０に出力される。なお、乗算器１５０ａにて拡散された制御信号については、上記のチャンク割り当て処理に先立って、別途、制御チャネルのサブキャリアに割り当てられて送信される。
【００３９】
ＩＦＦＴ部１７０は、サブキャリア割り当て部１３０から入力されたインデックス情報に基づいて、サブキャリア割り当て部１６０にてチャンク割り当てされた制御信号、パイロット信号およびデータ信号に対して、ＯＦＤＭ変調を施し、これにより、複数のＯＦＤＭシンボルの系列であるＯＦＤＭ信号を生成する。すなわち、ＩＦＦＴ部１７０は、周波数領域の信号を時間領域の信号に変換することによってＯＦＤＭ信号を生成する。
【００４０】
ＧＩ付加部１８０は、ＩＦＦＴ部１７０にて生成されたＯＦＤＭ信号に、ガードインターバル（ＧＩ）を付加する。  
無線送信部１９０は、ディジタル−アナログ変換器、アップコンバータおよび電力増幅器などを備え、これらによりガードインターバルが付加されたＯＦＤＭ信号を無線（ＲＦ）信号に変換し、アンテナ１９０ａから送信する。
【００４１】
次に図４を参照して、この発明の実施形態に係わるＯＦＤＭ受信機の構成について説明する。この図に示すＯＦＤＭ受信機は、図１に示したＯＦＤＭ受信機Ｒ０，Ｒ１，Ｒ２などに相当するが、以下の説明では、ＯＦＤＭ送信機Ｔ０からの信号を受信するＯＦＤＭ受信機Ｒ０を例に挙げて説明する。
【００４２】
なお、図４には図示しないが、各ＯＦＤＭ受信機Ｒ０，Ｒ１，Ｒ２は、それぞれＯＦＤＭ送信機Ｔ０，Ｔ１，Ｔ２から受信した信号に基づいて、それぞれについての各周波数帯域の受信品質や干渉信号強度を検出し、これらの検出結果を送信元となるＯＦＤＭ送信機Ｔ０，Ｔ１，Ｔ２にそれぞれ受信品質情報として送信する構成を備える。
【００４３】
図４に示すように、ＯＦＤＭ受信機Ｒ０は、アンテナ２０１と、制御チャネル復調部２１０と、無線受信部２１１と、ＧＩ除去部２１２と、ＦＦＴ部２１３と、信号分離部２２０と、デスクランブリング部２３０ａと、逆拡散部２４０と、チャネル推定部２５０と、チャネル等化部２６０と、デインタリーバ２７０ａと、チャネルデコーディング部２８０とを備える。
【００４４】
アンテナ２０１は、ＯＦＤＭ送信機Ｔ０，Ｔ１，Ｔ２からそれぞれ送信されたＲＦ信号を空間から受信する。無線受信部２１１は、低雑音増幅器、ダウンコンバータおよびアナログ−ディジタル変換器などを備え、これらによって上記ＲＦ信号をベースバンドディジタル信号に変換する。
【００４５】
ＧＩ除去部２１２は、上記ベースバンドディジタル信号からガードインターバルを除去する。ＦＦＴ（高速フーリエ変換）部２１３は、ガードインターバルが除去されたベースバンドディジタル信号を、高速フーリエ変換によって、時間領域の信号から周波数領域の信号に変換する。
【００４６】
一方、制御チャネル復調部２１０は、予め制御チャネルを通じてＯＦＤＭ送信機Ｔ０から受信した制御信号を復調し、スクランブリングコードの種類や、データ信号やパイロット信号が割り当てられたサブキャリアの周波数位置などを示す信号位置情報、拡散コード情報、インタリーブパタン情報やチャネル符号化情報などのリソース割り当てに関するリソース情報を得る。これらのリソース情報は、それぞれ必要とされるブロックに出力される。
【００４７】
信号分離部２２０は、各サブキャリアにそれぞれ割り当てられている信号を、制御チャネル復調部２１０にて得られた信号位置情報などに基づいて、パイロット信号とデータ信号に分離する。このようにして分離されたパイロット信号およびデータ信号は、それぞれデスクランブリング部２３０ａに出力される。
【００４８】
信号分離部２２０は、制御チャネル復調部２１０にて得られた信号位置情報などに基づいて、受信すべきサブキャリアの周波数帯域を検出するとともに、これに基づいて、受信すべきサブキャリアがどのようなフォーマットのチャンクであるかを判定し、この判定結果にしたがって、受信すべきサブキャリアからパイロット信号とデータ信号を分離する。このようにして分離されたパイロット信号およびデータ信号は、それぞれデスクランブリング部２３０ａに出力される。
【００４９】
デスクランブリング部２３０ａは、制御チャネル復調部２１０にて得られたスクランブリングコードの種類に基づいて、ＯＦＤＭ送信機Ｔ０において用いられたスクランブルパターンと逆のデスクランブリングパターンを求め、このパターンに基づくデスクランブルを上記パイロット信号および上記データ信号に施す。デスクランブルされたパイロット信号およびデータ信号は、逆拡散部２４０に出力される。
【００５０】
逆拡散部２４０は、制御チャネル復調部２１０にて得られた拡散コード情報に基づく拡散コードを用いて、デスクランブルされたパイロット信号およびデータ信号を逆拡散する。このようにして逆拡散された結果のうち、パイロット信号の逆拡散結果については、チャネル推定部２５０に出力し、データ信号の逆拡散結果については、チャネル等化部２６０に出力する。
【００５１】
チャネル推定部２５０は、逆拡散されたパイロット信号を用いて平均化または補間を行うことにより、データ信号が割り当てられたサブキャリアのチャネル推定を行い、これによりチャネル応答を示すチャネル推定値を得る。  
チャネル等化部２６０は、チャネル推定部２５０にて得られたチャネル推定値を用いて、逆拡散されたデータ信号に対してチャネル等化を行う。チャネル等化されたデータ信号は、デインタリーバ２７０ａに出力される。
【００５２】
デインタリーバ２７０ａは、制御チャネル復調部２１０にて得られたインタリーブパタン情報に基づいて、上記チャネル等化されたデータ信号をデインタリーブする。このようにしてデインタリーブされたデータ信号は、チャネルデコーディング部２８０に出力される。
【００５３】
チャネルデコーディング部２８０は、制御チャネル復調部２１０にて得られたチャネル符号化情報に基づいて、上記デインタリーブされたデータ信号をチャネルデコーディングする。これにより、データ信号の元となるビット列が再生される。
【００５４】
次に、上記構成のＯＦＤＭ無線通信システムの動作について説明する。このＯＦＤＭ無線通信システムでは、ＯＦＤＭ送信機Ｔ０−ＯＦＤＭ受信機Ｒ０間、ＯＦＤＭ送信機Ｔ１−ＯＦＤＭ受信機Ｒ１間、ＯＦＤＭ送信機Ｔ２−ＯＦＤＭ受信機Ｒ２間でそれぞれ通信が為されるが、以下の説明では、ＯＦＤＭ送信機Ｔ０−ＯＦＤＭ受信機Ｒ０間の通信を中心に説明する。
【００５５】
まず、ＯＦＤＭ受信機Ｒ０，Ｒ１，Ｒ２は、それぞれＯＦＤＭ送信機Ｔ０，Ｔ１，Ｔ２から受信した信号に関して、各周波数帯域の受信品質や干渉信号強度の情報を検出し、これを受信品質情報として、それぞれ対応するＯＦＤＭ送信機Ｔ０，Ｔ１，Ｔ２に宛てて送信する。
【００５６】
ＯＦＤＭ送信機Ｔ０では、ＯＦＤＭ受信機Ｒ０からの受信品質情報が受信され、この情報がスケジューリング部１１０に入力される。これに対してスケジューリング部１１０は、上記受信品質情報に応じたリソース割り当てを、チャネル符号化部１３１、拡散部１３３、変調部１３４およびサブキャリア割り当て部１６０に対して行う。
【００５７】
このようにしてＯＦＤＭ受信機Ｒ０に割り当てられたリソースの情報は、制御信号生成部１４０に通知され、当該ＯＦＤＭ送信機Ｔ０が送信する信号をＯＦＤＭ受信機Ｒ０が受信するために必要な物理層制御情報を含む制御信号の生成に用いられる。
【００５８】
ここで例えば、ＯＦＤＭ受信機Ｒ０が、当該ＯＦＤＭ送信機Ｔ０が形成するセルと、他のＯＦＤＭ送信機Ｔ１やＴ２が形成するセルとの境に位置するなどして、ＯＦＤＭ送信機Ｔ１やＴ２からの干渉が大きく、受信品質が悪い旨の受信品質情報を受信した場合、スケジューリング部１１０は、上記リソース割り当てにより、拡散部１３３に対して高い拡散率でデータを拡散するように指示して受信信号のSNRを高めたり、チャネル符号化部１３１に対して低レートのチャネルコーディングを行うように指示したり、あるいは変調部１３４に対して低レートの変調方式を選択するように指示して、受信誤り率を低減させる。
【００５９】
またこのように他のＯＦＤＭ送信機Ｔ１やＴ２からの干渉が大きく、受信品質が悪い場合にスケジューリング部１１０は、ＯＦＤＭ受信機Ｒ０に対して高密度チャンクＡ１を割り当てるように、サブキャリア割り当て部１６０に対してサブキャリア割り当てを指示する。
【００６０】
これにより、サブキャリア割り当て部１６０は、ＯＦＤＭ受信機Ｒ０宛てに生成した、乗算器１５０ａにて拡散された制御信号、乗算器１５０ｂにて拡散されたパイロット信号、および乗算器１５０ｃにて拡散されたデータ信号を、高密度チャンクＡ１のサブキャリアに割り当てる処理を行う。
【００６１】
これに対して、他のＯＦＤＭ送信機Ｔ１やＴ２からの干渉が小さく、受信品質が良い場合には、スケジューリング部１１０は、ＯＦＤＭ受信機Ｒ０に対して通常チャンクＡ２を割り当てるように、サブキャリア割り当て部１６０に対してサブキャリア割り当てを指示する。
【００６２】
これにより、サブキャリア割り当て部１６０は、ＯＦＤＭ受信機Ｒ０宛てに生成した、乗算器１５０ａにて拡散された制御信号、乗算器１５０ｂにて拡散されたパイロット信号、および乗算器１５０ｃにて拡散されたデータ信号を、高密度チャンクＡ２のサブキャリアに割り当てる処理を行う。
【００６３】
このようにしてサブキャリア割り当て部１６０にてチャンク割り当てされた制御信号、パイロット信号およびデータ信号は、ＩＦＦＴ部１７０にてＯＦＤＭ変調が施され、ＯＦＤＭ信号となる。そしてこのＯＦＤＭ信号は、ＧＩ付加部１８０にてガードインターバルが付加されたのち、無線送信部１９０およびアンテナ１９０ａを通じて、ＯＦＤＭ受信機Ｒ０宛てて無線送信される。
【００６４】
一方、ＯＦＤＭ受信機Ｒ０においては、以下のようにして受信が為される。  
まず、制御チャネル復調部２１０は、予め制御チャネルを通じてＯＦＤＭ送信機Ｔ０から受信した制御信号を復調し、スクランブリングコードの種類や、サブキャリアにおけるデータ信号とパイロット信号のサブキャリア割り当てを示す信号位置情報、拡散コード情報、インタリーブパタン情報やチャネル符号化情報などのリソース情報を得る。これらのリソース情報は、それぞれ必要とされるブロックに出力される。
【００６５】
アンテナ２０１によって受信されたＲＦ信号は、無線受信部２１１によってベースバンドディジタル信号に変換される。このベースバンドディジタル信号は、ＧＩ除去部２１２によってガードインターバルが除去された後、ＦＦＴ部２１３により時間領域の信号から周波数領域の信号に変換され、これによりサブキャリア毎の信号に分割される。ＦＦＴ部２１３からの出力信号は、信号分離部２２０に入力される。
【００６６】
信号分離部２２０は、制御チャネル復調部２１０が取得したリソース情報（信号位置情報）が通知されることで、当該ＯＦＤＭ受信機Ｒ０宛ての信号が、どの周波数帯域を通じて送信されているかを認識する。このように周波数帯域を認識すると、信号分離部２２０は、当該ＯＦＤＭ受信機Ｒ０に割り当てられたチャンクが、例えば図３（ａ）に示したチャンクＡ１のような高密度チャンクであるか、あるいはチャンクＡ２のような通常チャンクであるかを認識する。なぜなら、高密度チャンクと通常チャンクは、ＯＦＤＭ送信機Ｔ０，Ｔ１，Ｔ２間で予め共通に申し合わせた周波数帯域に設定されるため、周波数帯域を認識することで、チャンクの種別が判定できる。
【００６７】
そして、信号分離部２２０は、ＦＦＴ部２１３からの出力信号のうち、受信すべきチャンクを、認識した種別のフォーマットに基づいて、パイロット信号とデータ信号に分離する。
【００６８】
このようにして分離されたパイロット信号とデータ信号は、それぞれデスクランブリング部２３０ａにおいて、制御チャネル復調部２１０にて得られたスクランブリングコードの種類に基づいて、ＯＦＤＭ送信機Ｔ０において用いられたスクランブルパターンと逆のデスクランブリングパターンによってデスクランブルを行われる。
【００６９】
このデスクランブリングされたパイロット信号とデータ信号は、逆拡散部２４０において、制御チャネル復調部２１０にて得られた拡散コード情報に基づく拡散コード、すなわちＯＦＤＭ送信機Ｔ０において用いられた拡散コードを用いて逆拡散を行う。
【００７０】
このうち、逆拡散されたパイロット信号は、チャネル推定部２５０に入力され、ここで平均化または補間が施されて、データ信号が割り当てられたサブキャリアのチャネル推定に用いられ、これによりチャネル応答を示すチャネル推定値が得られる。一方、データ信号は、チャネル等化部２６０に入力される。チャネル等化部２６０は、チャネル推定部２５０にて得られたチャネル推定値を用いて、データ信号に対してチャネル等化を行う。
【００７１】
このようにしてチャネル等化されたデータ信号は、デインタリーバ２７０ａでデインタリーブされた後、チャネルデコーディング部２８０にてチャネルでコーディングが行われ、データ信号の元となるビット列が再生される。
【００７２】
以上のように、上記構成のＯＦＤＭ無線通信システムでは、通常の割合でパイロット信号が割り当てられた通常チャンクと、この通常チャンクよりも高い割合でパイロット信号が割り当てられた高密度チャンクとを、それぞれＯＦＤＭ送信機Ｔ０，Ｔ１，Ｔ２間で共通の周波数帯域で送信するようにし、そして各ＯＦＤＭ送信機Ｔ０，Ｔ１，Ｔ２は、受信品質が悪い旨の報告を行ったＯＦＤＭ受信機に対して、高密度チャンクを割り当てるようにしている。
【００７３】
これにより、各ＯＦＤＭ受信機Ｒ０，Ｒ１，Ｒ２では、高密度チャンクを通じた受信を行うことで、通常チャンクを通じた受信に比べて、チャネル推定において多くのパイロット信号エネルギーが集められるため、伝送路推定値のＳＮゲインが向上する。またパイロット信号の拡散に完全直交系列を用いることで、より伝送路推定値のＳＮゲインが向上する。
【００７４】
したがって例えば、ＯＦＤＭ受信機Ｒ０が、ＯＦＤＭ送信機Ｔ０が形成するセルと、他のＯＦＤＭ送信機Ｔ１やＴ２が形成するセルとの境に位置するなどして、ＯＦＤＭ送信機Ｔ１やＴ２からの干渉が大きく、受信品質が悪い旨の受信品質情報を受信した場合に、ＯＦＤＭ送信機Ｔ０はＯＦＤＭ受信機Ｒ０に対して高密度チャンクを割り当てることになるため、セル境界にいたとしても受品質を向上させることができる。
【００７５】
また、一般にパイロット信号とデータ信号の間には、送信電力にオフセットがあるため、他のＯＦＤＭ送信機からのパイロット信号が所望ＯＦＤＭ送信機からのデータ信号と同じ周波数および同じ時間のサブキャリアにある場合に、データ信号同士の場合よりも大きな干渉を引き起こす。
【００７６】
しかし、上記構成のＯＦＤＭ無線通信システムでは、ＯＦＤＭ送信機Ｔ０，Ｔ１，Ｔ２間で共通に定めた周波数帯に、通常チャンクと高密度チャンクとを区別して用いるので、異なるＯＦＤＭ送信機間で、パイロット信号とデータ信号が同じ周波数および同じ時間のサブキャリアに重なり合うことがない。  
このため、上記構成のＯＦＤＭ無線通信システムによれば、チャネル推定値の精度を上げ、データの受信精度が向上させることができる。
【００７７】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００７８】
その一例として例えば、上記実施の形態では、図２に示したＯＦＤＭ送信機Ｔ０において、送信機共通インタリーバ１３２ａは、チャネル符号化部１３１の符号化結果に対して、ＯＦＤＭ送信機Ｔ０，Ｔ１，Ｔ２の間で共通のインタリーブを施すものとしたが、これに限定されるものではない。例えば、図５に示すように、送信機共通インタリーバ１３２ａに代わって特定送信機用インタリーバ１３２ｂを設け、乗算器１５０ｃを取り除く。
【００７９】
この特定送信機用インタリーバ１３２ｂは、送信機共通インタリーバ１３２ａは、チャネル符号化部１３１の符号化結果に対して、ＯＦＤＭ送信機Ｔ０固有のインタリーブを施すことで、他のＯＦＤＭ送信機Ｔ１やＴ２との間で、データ信号に直交性を持たせるようにしたものである。そしてスケジューリング部１１０は、上記固有のインタリーブのパターン情報をサブキャリア割り当て部１６０に出力して、上記情報をＯＦＤＭ受信機Ｒ０に通知するようにする。
【００８０】
これに対応すべくＯＦＤＭ受信機Ｒ０は、図６に示すように構成する。すなわち、図４に示したＯＦＤＭ受信機Ｒ０のデスクランブリング部２３０ａに代わって、デスクランブリング部２３０ｂを設けて、パイロット信号についてのみデスクランブルを行う。そして、デインタリーバ２７０ａに代わって設けたデスクランブリング部２３０ｂは、ＯＦＤＭ送信機Ｔ０の特定送信機用インタリーバ１３２ｂに対応するデインタリーブを行う。このような構成によっても、他のＯＦＤＭ送信機Ｔ１やＴ２との間で、データ信号に直交性を持たせることができる。
【００８１】
また上記実施の形態では、通常チャンクと高密度チャンクの周波数帯域を固定し、ＯＦＤＭ送信機Ｔ０，Ｔ１，Ｔ２が、それぞれ通信するＯＦＤＭ受信機Ｒ０，Ｒ１，Ｒ２から通知される受信品質情報に基づいて、自律的に通常チャンクと高密度チャンクの割り当てを行うようにしていたが、これに限定されるものではない。すなわち、例えば図７に示すように、ＯＦＤＭ送信機Ｔ０，Ｔ１，Ｔ２は、送信機制御装置Ｃからの指示に基づいて、ＯＦＤＭ受信機Ｒ０，Ｒ１，Ｒ２にチャンク割り当てを行う。
【００８２】
まず、ＯＦＤＭ送信機Ｔ０，Ｔ１，Ｔ２は、それぞれ通信するＯＦＤＭ受信機Ｒ０，Ｒ１，Ｒ２から通知される受信品質情報を受信し、これに基づいて、自機が通信するＯＦＤＭ受信機に、通常チャンクと高密度チャンクとのうちいずれのチャンクを割り当てるかを決定し、この決定に基づいて高密度チャンクを割り当てるべきＯＦＤＭ受信機の割合を求め、これを割合情報として送信機制御装置Ｃに通知する。
【００８３】
これに対して送信機制御装置Ｃは、スループットを最大にするために、ＯＦＤＭ送信機Ｔ０，Ｔ１，Ｔ２から通知される割合情報を受信し、これに基づいて、通常チャンクを適用する通常周波数帯域と高密度チャンクを適用する高密度周波数帯域をそれぞれ決定し、この決定した帯域割り当てを示す帯域情報を、ＯＦＤＭ送信機Ｔ０，Ｔ１，Ｔ２に対して共通な帯域割り当て情報として通知する。
【００８４】
これに対してＯＦＤＭ送信機Ｔ０，Ｔ１，Ｔ２は、送信機制御装置Ｃから通知される帯域情報を受信し、これに基づいて、上記通常周波数帯域に、通常チャンクを割り当てて送信を行うとともに、上記高密度周波数帯域に、高密度チャンクを割り当てて送信を行う。またこの送信に先立って、ＯＦＤＭ送信機Ｔ０，Ｔ１，Ｔ２は、それぞれＯＦＤＭ受信機Ｒ０，Ｒ１，Ｒ２に対して、物理層制御情報を通じて、受信すべき周波数帯域とチャンクの種別を通知する。
【００８５】
すわなち、送信機制御装置Ｃが、ＯＦＤＭ送信機Ｔ０，Ｔ１，Ｔ２から通知される割合情報に基づいて、通常チャンクと高密度チャンクを割り当てる周波数帯域を動的に変化させるので、限られたリソースを有効活用し、スループットを最大にすることができる。  
その他、この発明の要旨を逸脱しない範囲で種々の変形を施しても同様に実施可能であることはいうまでもない。
【図面の簡単な説明】
【００８６】
【図１】この発明に係わるＯＦＤＭ無線通信システムの一実施形態のシステム構成の概略を示す図。
【図２】図１に示したＯＦＤＭ無線通信システムのＯＦＤＭ送信機の構成を示す回路ブロック図。
【図３】図１に示したＯＦＤＭ無線通信システムで用いられるサブキャリアの配置を説明するための図。
【図４】図１に示したＯＦＤＭ無線通信システムのＯＦＤＭ受信機の構成を示す回路ブロック図。
【図５】図１に示したＯＦＤＭ送信機の変形例の構成を示す回路ブロック図。
【図６】図５に示したＯＦＤＭ送信機に対応するＯＦＤＭ受信機の構成を示す回路ブロック図。
【図７】図１に示したＯＦＤＭ無線通信システムの変形例の動作を説明するための図。
【符号の説明】
【００８７】
１１０…スケジューリング部、１２０…パイロット信号生成部、１２１…拡散部、１２２…変調部、１３０…データ信号生成部、１３１…チャネル符号化部、１３２ａ…送信機共通インタリーバ、１３２ｂ…特定送信機用インタリーバ、１３３…拡散部、１３４…変調部、１４０…制御信号生成部、１５０ａ，１５０ｂ，１５０ｃ…乗算器、１６０…サブキャリア割り当て部、１７０…ＩＦＦＴ部、１８０…ＧＩ付加部、１９０…無線送信部、１９０ａ…アンテナ、２０１…アンテナ、２１０…制御チャネル復調部、２１１…無線受信部、２１２…ＧＩ除去部、２１３…ＦＦＴ部、２２０…信号分離部、２３０ａ…デスクランブリング部、２３０ｂ…デスクランブリング部、２４０…逆拡散部、２５０…チャネル推定部、２６０…チャネル等化部、２７０ａ…デインタリーバ、２７０ａ…デインタリーバ、２８０…チャネルデコーディング部、Ｃ…送信機制御装置、Ｒ０，Ｒ１，Ｒ２…ＯＦＤＭ受信機、Ｔ０，Ｔ１，Ｔ２…ＯＦＤＭ送信機。
【図１】
0004740778.tif 000006
【図２】
0004740778.tif 000007
【図３】
0004740778.tif 000008
【図４】
0004740778.tif 000009
【図５】
0004740778.tif 000010
【図６】
0004740778.tif 000011
【図７】
0004740778.tif 000012